(57)【特許請求の範囲】
【請求項１】
ＢＭＬデータを入力とし、表示用データを生成するＢＭＬブラウザを備え、このＢＭＬブラウザが生成した表示用データを表示手段で表示するようにしたＢＭＬデータ変換装置において、
外部データ入力手段を通じて得た、１つまたは複数の静止画像データを蓄積する静止画像蓄積手段と、
この静止画像蓄積手段に蓄積された静止画像データから必要な静止画像データを選択する静止画像選択手段と、
この静止画像選択手段で選択された静止画像データと前記ＢＭＬデータを入力とし、前記ＢＭＬデータに含まれた所定の映像データを前記静止画像データに置き換えたＢＭＬデータを生成するＢＭＬデータ合成手段と、
前記ＢＭＬデータ合成手段がＢＭＬデータを生成した回数を計数する蓄積回数計測手段と
を備え、
前記ＢＭＬブラウザは、前記ＢＭＬデータ合成手段が生成したＢＭＬデータに基づいて表示用データを生成し、
前記静止画像蓄積手段は、前記蓄積回数計測手段が所定の回数を計数したとき、前記外部データ入力手段を通じてあらたな静止画像データを蓄積すること
を特徴とするＢＭＬデータ変換装置。
【請求項２】
前記ＢＭＬデータ合成手段が生成したＢＭＬデータを蓄積するＢＭＬデータ蓄積手段と、
このＢＭＬデータ蓄積手段に蓄積されたＢＭＬデータから必要なＢＭＬデータを選択するＢＭＬデータ選択手段と
を備え、
前記ＢＭＬブラウザは、前記ＢＭＬデータ選択手段で選択されたＢＭＬデータに基づいて表示用データを生成することを特徴とする請求項１に記載のＢＭＬデータ変換装置。
【請求項３】
ＢＭＬデータを入力とし、表示用データを生成するＢＭＬブラウザを備え、このＢＭＬブラウザが生成した表示用データを表示手段で表示するようにしたＢＭＬデータ変換装置において、
外部データ入力手段を通じて得た、１つまたは複数の静止画像データを蓄積する静止画像蓄積手段と、
この静止画像蓄積手段に蓄積された静止画像データから必要な静止画像データを選択する静止画像選択手段と、
前記ＢＭＬデータを入力とし、前記ＢＭＬデータに含まれた所定の映像データを分離したＢＭＬデータを生成するＢＭＬデータ抽出手段と、
前記ＢＭＬデータ抽出手段が生成したＢＭＬデータを蓄積するＢＭＬデータ蓄積手段と、このＢＭＬデータ蓄積手段に蓄積されたＢＭＬデータから必要なＢＭＬデータを選択するＢＭＬデータ選択手段と
このＢＭＬデータ選択手段で選択されたＢＭＬデータと上記静止画像選択手段で選択された静止画像データを入力とし、前記ＢＭＬデータから分離された所定の映像データの領域に前記静止画像データに合成したＢＭＬデータを生成するＢＭＬデータ合成手段と、
前記ＢＭＬデータ合成手段がＢＭＬデータを生成した回数を計数する蓄積回数計測手段と
を備え、
前記ＢＭＬブラウザは、前記ＢＭＬデータ合成手段が生成したＢＭＬデータに基づいて表示用データを生成し、
前記静止画像蓄積手段は、前記蓄積回数計測手段が所定の回数を計数したとき、前記外部データ入力手段を通じてあらたな静止画像データを蓄積することを特徴とするＢＭＬデータ変換装置。
【請求項４】
前記静止画像選択手段は、前記ＢＭＬデータに含まれた静止画像情報に基づいて、前記静止画像蓄積手段に蓄積された静止画像から必要な静止画像データを選択することを特徴とする請求項１または請求項２に記載のＢＭＬデータ変換装置。
【請求項５】
前記静止画像蓄積手段は、前記ＢＭＬデータに付加された静止画像データを蓄積することを特徴とする請求項１ないし請求項３のいずれかに記載のＢＭＬデータ変換装置。
【請求項６】
前記ＢＭＬブラウザが変換した表示用データを印刷する印刷装置を備えることを特徴とする請求項１ないし請求項５のいずれかに記載のＢＭＬデータ変換装置。
【請求項７】
前記ＢＭＬデータ合成手段が生成したＢＭＬデータまたは前記ＢＭＬデータ選択手段に選択されたＢＭＬデータを印刷する印刷装置を備えることを特徴とする請求項１ないし請求項５のいずれかに記載のＢＭＬデータ変換装置。
【請求項８】
請求項１ないし請求項７のいずれかに記載のＢＭＬデータ変換装置を備えたデジタルテレビジョン受信機。
【発明の詳細な説明】
【技術分野】
【０００１】
この発明は、ＢＭＬデータ変換装置およびそのＢＭＬデータ変換装置を備えたＤＴＶ受信機に関するものである。
【背景技術】
【０００２】
放送局側が配信するデータ放送のＢＭＬ（Broadcast Markup Language）データを表示するデジタルテレビジョン（ＤＴＶ：Digital Television）受信機では、視聴者が選択した必要な情報部分について、ＢＭＬデータを作成し直して蓄積または印刷等を行っている。特許文献１には、ＢＭＬデータに含まれる映像データの１場面をキャプチャして静止画データを生成する手段と、データ放送画面において印刷したい領域のみを選択する手段と、選択した領域だけを記述するＢＭＬデータを生成する手段と、生成されたＢＭＬデータを蓄積する手段を備え、視聴者にとって必要な情報部分のみを蓄積することを特徴とするＢＭＬデータ変換装置を備えたＤＴＶ受信機が開示されている。
【０００３】
【特許文献１】特開２００３−２７４３０９号公報  第１９頁  第４７図
【発明の開示】
【発明が解決しようとする課題】
【０００４】
従来のＢＭＬデータ変換装置では、ＢＭＬデータの映像データをキャプチャして静止画とし、ＢＭＬデータを変換して蓄積することはできるが、映像データを静止画に変換して蓄積するだけでは、著作権で保護された映像データに対して著作権を侵害してしまい、無許可の２次使用を回避することができないという問題があった。
【０００５】
この発明は、上述のような課題を解決するためになされたもので、ＢＭＬデータの映像データを著作権上問題のない静止画像データに置換えてＢＭＬデータを変換することで、蓄積保存や印刷する際に著作権で保護された映像データに対して著作権を侵害しないように、無許可の２次使用を回避したＢＭＬデータを得ることを目的とする。
【課題を解決するための手段】
【０００６】
この発明に係るＢＭＬデータ変換装置は、ＢＭＬデータを入力とし、表示用データを生成するＢＭＬブラウザと、１つまたは複数の静止画像データを蓄積する静止画像蓄積手段と、この静止画像蓄積手段に蓄積された静止画像データから必要な静止画像データを選択する静止画像選択手段と、この静止画像選択手段で選択された静止画像データと前記ＢＭＬデータを入力とし、前記ＢＭＬデータに含まれた所定の映像データを前記静止画像データに置き換えたＢＭＬデータを生成するＢＭＬデータ合成手段とを備えたものである。
【発明の効果】
【０００７】
この発明によれば、ＢＭＬデータの映像データを著作権上問題のない静止画像データに置換えてＢＭＬデータを変換することで、蓄積保存や印刷する際に著作権で保護された映像データに対して著作権を侵害することなく、無許可の２次使用を回避したＢＭＬデータを得ることができる。
【発明を実施するための最良の形態】
【０００８】
実施の形態１．
図１は、この発明における実施の形態１のＢＭＬデータ変換装置の一例を示すブロック構成図である。同図において、ＢＭＬブラウザ１０１は、ＢＭＬデータを入力として、表示用データを生成する。表示手段１０２は、ＢＭＬブラウザ１０１が生成した表示用データを表示する。静止画像蓄積手段１０３Ａは、静止画像データを蓄積する。静止画像選択手段１０４Ａは、外部からの指示により、静止画像蓄積手段１０３Ａが蓄積している１つまたは複数の静止画像データからＢＭＬデータの映像データと置き換える静止画像データを選択する。ＢＭＬデータ合成手段１０５Ａは、受信されたＢＭＬデータに対して、そのＢＭＬデータの映像データを、選択された静止画像データに置き換えてＢＭＬデータを生成する。そして、ＢＭＬブラウザ１０１は、この生成されたＢＭＬデータから表示用データを生成し、表示手段１０２は、生成された表示用データを表示する。
【０００９】
次に動作について説明する。基本動作は、ＢＭＬブラウザ１０１は、ＢＭＬデータを受け取り、表示用データを生成し、表示手段１０２は、ＢＭＬブラウザ１０１が生成した表示用データを得て、表示するというものである。この発明における実施の形態１のＢＭＬデータ変換装置の動作の一例では、ＢＭＬブラウザ１０１は、ＢＭＬデータをＢＭＬ合成手段１０５Ａから受け取るものとして、図２のフローチャート図に基づいて動作を説明する。
【００１０】
ＳＴ１０１では、ＢＭＬデータ合成手段１０５Ａは、ＢＭＬデータを受信する。ＳＴ１０２では、静止画像選択手段１０４Ａは、外部から指示された静止画像データを静止画像蓄積手段１０３Ａが蓄積する静止画像データから選択する。ＳＴ１０３では、ＢＭＬデータ合成手段１０５Ａは、受信したＢＭＬデータから映像データを分離し、選択された静止画像データに置き換えたＢＭＬデータを生成する。ＳＴ１０４では、ＢＭＬブラウザ１０１は、生成されたＢＭＬデータを表示用データに変換する。ＳＴ１０５では、表示手段１０２は、表示用データを表示する。
【００１１】
このように、ＳＴ１０１からＳＴ１０３は、受信されたＢＭＬデータの映像データを静止画像データに変換したＢＭＬデータを生成するまでの手順を示している。また、ＳＴ１０４からＳＴ１０５は、生成されたＢＭＬデータを表示するまでの手順を示している。
【００１２】
なお、静止画像データの選択（ＳＴ１０２）は、この処理手順の位置で行わず、あらかじめ静止画像データを選択しておいても構わない。
【００１３】
また、この発明における実施の形態１のＢＭＬデータ変換装置の静止画像蓄積手段１０３Ａは、あらかじめ著作権に関して問題のない静止画像データを蓄積しているものとする。ここでは、静止画像データを蓄積しているものとして説明したが、アニメーションのような擬似動画データを蓄積しておき、受信されたＢＭＬデータの映像データを置き換えても構わない。また、静止画像選択手段１０４Ａは、静止画像データの選択を外部から指示されるが、その指示は例えばリモートコントローラやＢＭＬデータ変換装置本体の制御パネルから行われる。リモートコントローラは、有線、無線のいずれでも構わない。
【００１４】
図３には、この発明における実施の形態１のＢＭＬデータ変換装置のＢＭＬデータ合成手段１０５Ａが受信するオリジナルのＢＭＬデータ（画面イメージＡとする）と、ＢＭＬデータ合成手段１０５Ａによって変換され、ＢＭＬブラウザ１０１に出力されるＢＭＬデータ（画面イメージＢとする）の各画面イメージの一例を示す。
【００１５】
画面イメージＡには、受信されたままのＢＭＬデータで、著作権のある映像データが右上の領域に表示されている。一方、画面イメージＢでは、ＢＭＬデータ合成手段１０５Ａによって右上の領域の著作権のある映像データを静止画像選択手段１０４Ａで選択された静止画像に置き換える変換が行われ、著作権の問題のない静止画像データが表示されるＢＭＬデータとなっている。静止画像蓄積手段１０３Ａに用意された静止画像データだけでなく、静止画像データを追加できる後述の実施の形態では、プライベートな静止画像データなどを選択することもできる。
【００１６】
以上のように、この発明における実施の形態１のＢＭＬデータ変換装置では、受信したＢＭＬデータの映像データを著作権に関して問題のない静止画像データに置き換えて表示することができる。
【００１７】
また、この発明における実施の形態１のＢＭＬデータ変換装置では、受信したＢＭＬデータの映像データを表示したくないときに、静止画像に置き換えることで隠して表示することができる。
【００１８】
実施の形態２．
図４は、この発明における実施の形態２のＢＭＬデータ変換装置の一例を示すブロック構成図である。同図において、この発明における実施の形態１の図１のブロック構成図に対してＢＭＬデータ蓄積手段１０６とＢＭＬデータ選択手段１０７を追加した構成であり、他の構成要素は同一符号を付して同等の機能を果たすものとする。ここで、追加されたＢＭＬデータ蓄積手段１０６は、ＢＭＬデータ合成手段１０５Ａが生成したＢＭＬデータを蓄積する。追加されたＢＭＬデータ選択手段１０７は、ＢＭＬデータ蓄積手段１０６が蓄積している１つまたは複数のＢＭＬデータから表示するＢＭＬデータを選択する。そして、ＢＭＬブラウザ１０１は、この選択されたＢＭＬデータから表示用データを生成し、表示手段１０２は、生成された表示用データを表示する。
【００１９】
次に動作について説明する。この発明における実施の形態２のＢＭＬデータ変換装置の動作の一例を図５のフローチャート図に基づいて動作を説明する。
【００２０】
ＳＴ２０１では、ＢＭＬデータ合成手段１０５Ａは、ＢＭＬデータを受信する。ＳＴ２０２では、静止画像選択手段１０４Ａは、外部から指示された静止画像データを静止画像蓄積手段１０３Ａが蓄積する静止画像データから選択する。ＳＴ２０３では、ＢＭＬデータ合成手段は、受信したＢＭＬデータから映像データを分離し、選択された静止画像データに置き換えたＢＭＬデータを生成する。ＳＴ２０４では、ＢＭＬデータ蓄積手段１０６は、生成されたＢＭＬデータを保存する。ＳＴ２０５では、ＢＭＬデータ選択手段１０７は、外部から指示されたＢＭＬデータをＢＭＬデータ蓄積手段１０６が蓄積するＢＭＬデータから選択する。ＳＴ２０６では、ＢＭＬブラウザ１０１は、選択されたＢＭＬデータを表示用データに変換する。ＳＴ２０７では、表示手段１０２は、表示用データを表示する。
【００２１】
このように、ＳＴ２０１からＳＴ２０３は、この発明における実施の形態１の図２のフローチャート図におけるＳＴ１０１からＳＴ１０３において、受信されたＢＭＬデータの映像データを静止画像データに変換したＢＭＬデータを生成する手順に相当する。また、ＳＴ２０４からＳＴ２０５は、生成されたＢＭＬデータの保存と、その保存されたＢＭＬデータから表示するＢＭＬデータを選択する手順を示している。さらに、ＳＴ２０６からＳＴ２０７は、図２におけるＳＴ１０４からＳＴ１０５において、選択されたＢＭＬデータを表示するまでの手順に相当する。
【００２２】
なお、ＢＭＬデータの保存（ＳＴ２０４）と選択（ＳＴ２０５）は、時間的に実行間隔をおいて処理されても構わない。
【００２３】
なお、ＢＭＬデータ選択手段１０７は、ＢＭＬデータの選択を外部から指示されるが、この発明の実施の形態１のＢＭＬ変換装置に示した静止画像選択手段１０４Ａと同様に、その指示は例えばリモートコントローラやＢＭＬデータ変換装置本体の制御パネルから行われる。リモートコントローラは、有線、無線のいずれでも構わない。
【００２４】
以上のように、この発明における実施の形態２のＢＭＬデータ変換装置では、受信したＢＭＬデータの映像データを著作権に関して問題のない静止画像データに置き換えて表示することができる。
【００２５】
また、この発明における実施の形態２のＢＭＬデータ変換装置では、受信したＢＭＬデータの映像データを著作権に関して問題のない静止画像データに置き換えたＢＭＬデータを蓄積することができるとともに、著作権に関して問題のない蓄積された１つまたは複数のＢＭＬデータから所望のＢＭＬデータを選択することができる。
【００２６】
実施の形態３．
図６は、この発明における実施の形態３のＢＭＬデータ変換装置の一例を示すブロック構成図である。同図において、この発明における実施の形態２の図４のブロック構成図に対して静止画像入力手段１０８Ａを追加した構成であり、他の構成要素は同一符号を付して同等の機能を果たすものとする。ここで、追加された静止画像入力手段１０８Ａは、ＢＭＬデータに付加された静止画像データを抽出する。
【００２７】
また、同図において、静止画像蓄積手段１０３Ｂ、静止画像選択手段１０４ＢおよびＢＭＬデータ合成手段１０５Ｂは、この発明における実施の形態２の図４のブロック構成図における静止画像蓄積手段１０３Ａ、静止画像選択手段１０４ＡおよびＢＭＬデータ合成手段１０５Ａに対して次の点に差異がある。静止画像蓄積手段１０３Ｂは、静止画像蓄積手段１０３Ａに対する差異として、静止画像入力手段１０８Ａが抽出した静止画像データを追加して蓄積できるようにしたものである。ＢＭＬデータ合成手段１０５Ｂは、ＢＭＬデータに静止画像を合成するだけでなく、ＢＭＬデータ合成手段１０５Ａに対する差異として、受信したＢＭＬデータ内の静止画像情報を抽出し、静止画像情報に基づいて選択する静止画像データを静止画像選択手段１０４Ｂに指示するようにしたものである。静止画像選択手段１０４Ｂは、静止画像選択手段１０４Ａが外部からの指示により静止画像データを選択していたのに対する差異として、ＢＭＬデータ合成手段１０５Ｂが抽出した静止画像情報に基づく指示により、静止画像蓄積手段１０３Ａが蓄積している１つまたは複数の静止画像データからＢＭＬデータの映像データと置き換える静止画像データを選択するようにしたものである。
【００２８】
次に動作について説明する。この発明における実施の形態３のＢＭＬデータ変換装置の動作の一例を図７のフローチャート図に基づいて動作を説明する。
【００２９】
ＳＴ３０１では、ＢＭＬデータ合成手段１０５Ｂは、ＢＭＬデータを受信する。ＳＴ３０２では、静止画像入力手段１０８Ａは、ＢＭＬデータに付加された静止画像データを静止画像蓄積手段１０３Ｂに保存させる。ＳＴ３０３では、ＢＭＬデータ合成手段１０５Ｂは、ＢＭＬデータ内に指示された静止画像情報を抽出する。ＳＴ３０４では、静止画像選択手段１０４Ａは、抽出した静止画像情報に指示された静止画像データを静止画像蓄積手段１０３Ｂが蓄積する静止画像データから選択する。ＳＴ３０５では、ＢＭＬデータ合成手段１０５Ｂは、受信したＢＭＬデータから映像データを分離し、選択された静止画像データに置き換えたＢＭＬデータを生成する。ＳＴ３０６では、ＢＭＬデータ蓄積手段１０６は、生成されたＢＭＬデータを保存する。ＳＴ３０７では、ＢＭＬデータ選択手段１０７は、外部から指示されたＢＭＬデータをＢＭＬデータ蓄積手段１０６が蓄積するＢＭＬデータから選択する。ＳＴ３０８では、ＢＭＬブラウザ１０１は、選択されたＢＭＬデータを表示用データに変換する。ＳＴ３０９では、表示手段１０２は、表示用データを表示する。
【００３０】
このように、ＳＴ３０１、ＳＴ３０４からＳＴ３０５は、この発明における実施の形態２の図５のフローチャート図におけるＳＴ２０１からＳＴ２０３において、受信されたＢＭＬデータの映像データを静止画像データに変換したＢＭＬデータを生成する手順に相当する。また、ＳＴ３０２およびＳＴ３０３では、受信されるＢＭＬデータに付加された静止画像データを静止画像蓄積手段１０３Ｂに追加保存するとともに、ＢＭＬデータ内の静止画像情報を抽出し、静止画像データの選択を指示することで、静止画像データの選択処理の自動化を図ることができる。また、ＳＴ３０６からＳＴ３０７は、この発明における実施の形態２のＢＭＬデータ変換装置におけるＳＴ２０４からＳＴ２０５において、生成されたＢＭＬデータの保存と、その保存されたＢＭＬデータから表示するＢＭＬデータを選択する手順に相当する。さらに、ＳＴ３０８からＳＴ３０９は、この発明における実施の形態２のＢＭＬデータ変換装置におけるＳＴ２０６からＳＴ２０７において、選択されたＢＭＬデータを表示するまでの手順に相当する。
【００３１】
なお、静止画像蓄積手段１０３Ｂに保存される静止画像データは、静止画像選択手段１０４Ａが静止画像情報に基づいて選択される静止画像データでないこともありうる。例えば、ＢＭＬデータに付加された形でＢＭＬデータと静止画像データを密接に関係させるようにして送信してもよいし、このときＢＭＬデータに静止画像情報に指示した専用の静止画像データを合成させた直後にその静止画像を削除するように指示しておいても構わない。また、ＢＭＬデータに対して不特定の静止画像データをＢＭＬデータの間に挟んで送信し、静止画像蓄積手段１０３Ｂに適宜保存し、選択できるようにしても構わない。不特定の静止画像データが提供されるのであれば、ＳＴ３０２は必ずしも図７のフローチャート図の順番でなくてもよく、ＢＭＬデータに静止画像データを検出したときに適宜保存するようにしても構わない。
【００３２】
また、静止画像蓄積手段１０３Ｂに保存される静止画像データは、ＢＭＬデータに付加された静止画像データであることから、例えば、ＢＭＬデータの作成者や送信者として、２次使用による著作権の侵害の可能性がない静止画像データ、２次使用されても著作権の侵害を主張する意思がない静止画像データに限定して送信するものとする。また、提供する静止画像データを宣伝媒体として使用しても構わない。
【００３３】
以上のように、この発明における実施の形態３のＢＭＬデータ変換装置では、受信したＢＭＬデータの映像データを著作権に関して問題のない静止画像データに置き換えて表示することができる。
【００３４】
また、この発明における実施の形態３のＢＭＬデータ変換装置では、受信したＢＭＬデータの映像データを著作権に関して問題のない静止画像データに置き換えたＢＭＬデータを蓄積することができるとともに、著作権に関して問題のない蓄積された１つまたは複数のＢＭＬデータから所望のＢＭＬデータを選択することができる。
【００３５】
さらに、この発明における実施の形態３のＢＭＬデータ変換装置では、ＢＭＬデータに付加された著作権に関して問題のない静止画像データを追加して蓄積することができる。
【００３６】
実施の形態４．
図８は、この発明における実施の形態４のＢＭＬデータ変換装置の一例を示すブロック構成図である。同図において、この発明における実施の形態２の図４のブロック構成図に対して静止画像入力手段１０８Ｂを追加した構成であり、他の構成要素は同一符号を付して同等の機能を果たすものとする。ここで、追加された静止画像入力手段１０８Ｂは、外部から静止画像データを入力する。また、静止画像蓄積手段１０３Ｂは、この発明における実施の形態２の図４のブロック構成図における静止画像蓄積手段１０３Ａに対する差異として、例えば、ネットワークを通じて外部から入力した静止画像データを追加して蓄積できるようにしたものである。
【００３７】
また、同図において、静止画像入力手段１０８Ｂとこの発明における実施の形態３の図６のブロック構成図における静止画像入力手段１０８Ａの差異は、静止画像入力手段１０８ＡがＢＭＬデータに付加された静止画像データを抽出していたのに対し、静止画像入力手段１０８Ｂは外部から静止画像データを入力して静止画像蓄積手段１０３Ｂに追加蓄積させるようにしたものである。
【００３８】
次に動作について説明する。この発明における実施の形態４のＢＭＬデータ変換装置の動作の一例を図９のフローチャート図に基づいて動作を説明する。
【００３９】
ＳＴ４０１では、ＢＭＬデータ合成手段１０５Ａは、ＢＭＬデータを受信する。ＳＴ４０２では、静止画像入力手段１０８Ｂは、外部から入力された静止画像データを静止画像蓄積手段１０３Ｂに保存させる。ＳＴ４０３では、静止画像選択手段１０４Ａは、外部から指示された静止画像データを静止画像蓄積手段１０３Ｂが蓄積する静止画像データから選択する。ＳＴ４０４では、ＢＭＬデータ合成手段１０５Ａは、受信したＢＭＬデータから映像データを分離し、選択された静止画像データに置き換えたＢＭＬデータを生成する。ＳＴ４０５では、ＢＭＬデータ蓄積手段１０６は、生成されたＢＭＬデータを保存する。ＳＴ４０６では、ＢＭＬデータ選択手段１０７は、外部から指示されたＢＭＬデータをＢＭＬデータ蓄積手段１０６が蓄積するＢＭＬデータから選択する。ＳＴ４０７では、ＢＭＬブラウザ１０１は、選択されたＢＭＬデータを表示用データに変換する。ＳＴ４０８では、表示手段１０２は、表示用データを表示する。
【００４０】
このように、ＳＴ４０１、ＳＴ４０３からＳＴ４０４は、この発明における実施の形態２の図５のフローチャート図におけるＳＴ２０１からＳＴ２０３において、受信されたＢＭＬデータの映像データを静止画像データに変換したＢＭＬデータを生成する手順に相当する。また、ＳＴ４０２では、この発明における実施の形態３の図７のフローチャート図におけるＳＴ３０２でＢＭＬデータに付加された静止画像データを追加保存したのに対して、外部から入力された静止画像データを静止画像蓄積手段１０３Ｂに追加保存することができる。また、ＳＴ４０５からＳＴ４０６は、図５におけるＳＴ２０４からＳＴ２０５において、生成されたＢＭＬデータの保存と、その保存されたＢＭＬデータから表示するＢＭＬデータを選択する手順に相当する。さらに、ＳＴ４０７からＳＴ４０８は、図５におけるＳＴ２０６からＳＴ２０７において、選択されたＢＭＬデータを表示するまでの手順に相当する。
【００４１】
なお、静止画像入力手段１０８Ｂは、静止画像蓄積手段１０３Ｂへ外部から静止画像データの入力することを可能にするが、例えば、ネットワークを通じて静止画像データを入手したり、あるいはメモリ媒体などを通じて静止画像データを入手することができる。ネットワークは、通信速度によらず、優先、無線を問わないものとする。このメモリ媒体は、半導体メモリやディスク媒体などであって、電気的、磁気的などの記録方式によらないものとする。また、固定式、過般式、着脱式などによらず、読み取り専用、書き換え可能なタイプによらないものとする。
【００４２】
なお、静止画像蓄積手段１０３Ｂに保存される静止画像データは、静止画像選択手段１０４Ａがすぐに選択する静止画像データを入力対象としていないこともありうる。すぐに選択されない静止画像データであれば、ＳＴ４０２は必ずしも図９のフローチャート図の順番でなくてもよく、所望のタイミングで適宜保存すれば構わない。
【００４３】
また、静止画像入力手段１０８Ｂを通じて入力する静止画像データは、静止画像選択手段１０４Ａによる静止画像データの選択、ＢＭＬデータ選択手段１０７によるＢＭＬデータの選択を外部から指示するＢＭＬデータ変換装置の利用者が用意するものであることから、２次使用による著作権の侵害の可能性がないものを入力することができる。また、正規のライセンスを受けた２次使用可能な静止画像データを入力することも可能である。
【００４４】
また、静止画像入力手段１０８Ｂを通じて入力する静止画像データは、デジタルカメラやスキャナなどで入力された静止画像データや、ソフトウェアで編集して得られたテキストやイラストなどのビットマップデータに基づいた静止画像データであっても構わない。
【００４５】
また、静止画像入力手段１０８Ｂを通じて入力する静止画像データは、静止画像蓄積手段１０３Ｂに蓄積されることなく、外部の静止画像データ蓄積装置にネットワークでアクセスするようにしてもよい。
【００４６】
以上のように、この発明における実施の形態４のＢＭＬデータ変換装置では、受信したＢＭＬデータの映像データを著作権に関して問題のない静止画像データに置き換えて表示することができる。
【００４７】
また、この発明における実施の形態４のＢＭＬデータ変換装置では、受信したＢＭＬデータの映像データを著作権に関して問題のない静止画像データに置き換えたＢＭＬデータを蓄積することができるとともに、著作権に関して問題のない蓄積された１つまたは複数のＢＭＬデータから所望のＢＭＬデータを選択することができる。
【００４８】
さらに、この発明における実施の形態４のＢＭＬデータ変換装置では、ネットワークやメモリ媒体（半導体、ディスク）等を通じて著作権に関して問題のない静止画像データを追加して蓄積することができる。
【００４９】
実施の形態５．
図１０は、この発明における実施の形態５のＢＭＬデータ変換装置の一例を示すブロック構成図である。同図において、この発明における実施の形態２の図４のブロック構成図に対して変換回数計測手段１０９を追加した構成であり、他の構成要素は同一符号を付して同等の機能を果たすものとする。ここで、追加された変換回数計測手段１０９は、ＢＭＬデータ合成手段１０５Ｃによる合成ごとに通知される合成回数を計数し、所定回数を計数したとき、その旨を通知する。
【００５０】
また、同図において、ＢＭＬデータ合成手段１０５Ｃおよび静止画像入力手段１０８Ｃは、この発明における実施の形態４の図８のブロック構成図におけるＢＭＬデータ合成手段１０５Ａおよび静止画像入力手段１０８Ｂに対して次の点に差異がある。ＢＭＬデータ合成手段１０５Ｃは、ＢＭＬデータに静止画像を合成するだけでなく、ＢＭＬデータ合成手段１０５Ａに対する差異として、合成したことを変換回数計測手段１０９に通知するようにしたものである。静止画像入力手段１０８Ｃは、静止画像入力手段１０８Ｂに対する差異として、変換回数計測手段１０９から所定回数が計数されたことが通知されることで、あらたな静止画像データを外部から入力するようにしたものである。なお、ここでは、ＢＭＬデータと静止画像の合成回数は合成されたＢＭＬデータの蓄積回数、あるいは合成される静止画像データの選択回数としても構わない。
【００５１】
次に動作について説明する。この発明における実施の形態５のＢＭＬデータ変換装置の動作の一例を図１１のフローチャート図に基づいて動作を説明する。
【００５２】
ＳＴ５０１では、ＢＭＬデータ合成手段１０５Ｃは、ＢＭＬデータを受信する。ＳＴ５０２では、静止画像選択手段１０４Ａは、外部から指示された静止画像データを静止画像蓄積手段１０３Ｂが蓄積する静止画像データから選択する。ＳＴ５０３では、ＢＭＬデータ合成手段１０５Ｃは、受信したＢＭＬデータから映像データを分離し、選択された静止画像データに置き換えたＢＭＬデータを生成する。ＳＴ５０４では、ＢＭＬデータ蓄積手段１０６は、生成されたＢＭＬデータを保存する。ＳＴ５０５では、変換回数計測手段１０９は、ＢＭＬデータの合成回数を計数する。ＳＴ５０６では、ＢＭＬデータの合成が所定回数まで計数されたか判定する。ＳＴ５０６で所定回数計数したと判定されたとき、ＳＴ５０７では、静止画像入力手段１０８Ｃは、ネットワークを通じて静止画像データを入力し、静止画像蓄積手段１０３Ｂに保存させる。ＳＴ５０８では、ＢＭＬデータ選択手段１０７は、外部から指示されたＢＭＬデータをＢＭＬデータ蓄積手段１０６が蓄積するＢＭＬデータから選択する。ＳＴ５０９では、ＢＭＬブラウザ１０１は、選択されたＢＭＬデータを表示用データに変換する。ＳＴ５１０では、表示手段１０２は、表示用データを表示する。
【００５３】
このように、ＳＴ５０１からＳＴ５０３は、この発明における実施の形態４の図９のフローチャート図におけるＳＴ４０１、ＳＴ４０３からＳＴ４０４において、受信されたＢＭＬデータの映像データを静止画像データに変換したＢＭＬデータを生成する手順に相当する。また、ＳＴ５０４、ＳＴ５０８は、図９におけるＳＴ４０５からＳＴ４０６において、生成されたＢＭＬデータの保存と、その保存されたＢＭＬデータから表示するＢＭＬデータを選択する手順に相当する。また、ＳＴ５０５からＳＴ５０７は、ＢＭＬデータの合成回数を計数し、所定回数を計数すると外部から静止画像データを入力する手順を示しており、図９におけるＳＴ４０２の静止画像データの追加保存が、合成回数が所定回数となったときに制限されている。さらに、ＳＴ５０９からＳＴ５１０は、図９におけるＳＴ４０７からＳＴ４０８において、選択されたＢＭＬデータを表示するまでの手順に相当する。
【００５４】
なお、図１１のフローチャート図で説明した静止画像データの追加保存に関する処理であるＳＴ５０５からＳＴ５０７は、次回の合成回数の計数前であれば、例えば次回の静止画像を選択（ＳＴ５０２）する前に行うようにしても構わない。
【００５５】
また、変換回数計測手段１０９は、静止画像データが追加保存されると、所定回数に到達した合成回数の計数値を再初期化して計数を行う。また、変換回数計測手段１０９は、ＢＭＬデータ合成手段１０５ＣがＢＭＬデータを合成した回数を計数し、所定の回数が計数されると、静止画像入力手段１０８Ｂは、外部から静止画像データを入力しているが、入力とともに静止画像データを消去するようにしても構わない。例えば、蓄積時間が最長の静止画像データを消去するようにしてもよい。また、変換回数計測手段１０９による計数を静止画像データごとに行い、静止画像選択手段１０４Ａで選択された回数が最小の静止画像データ、あるいは静止画像選択手段１０４Ａで所定回数を選択された静止画像データを消去するようにしてもよい。この所定回数の選択は使用許可回数としてもよい。このように、静止画像データの削除を追加入力の際に行うことで蓄積容量の超過を防ぐことができる。このとき、ＢＭＬデータ蓄積手段１０６は、蓄積容量が許すとき、あるいは所定の保存ファイル数に到達しないときには消去を行わないようにしてもよい。
【００５６】
以上のように、この発明における実施の形態５のＢＭＬデータ変換装置では、受信したＢＭＬデータの映像データを著作権に関して問題のない静止画像データに置き換えて表示することができる。
【００５７】
また、この発明における実施の形態５のＢＭＬデータ変換装置では、受信したＢＭＬデータの映像データを著作権に関して問題のない静止画像データに置き換えたＢＭＬデータを蓄積することができるとともに、著作権に関して問題のない蓄積された１つまたは複数のＢＭＬデータから所望のＢＭＬデータを選択することができる。
【００５８】
さらに、この発明における実施の形態５のＢＭＬデータ変換装置では、ネットワークを通じて著作権に関して問題のない静止画像データを追加して蓄積することができる。
【００５９】
また、この発明における実施の形態５のＢＭＬデータ変換装置では、ＢＭＬデータの映像データを著作権に関して問題のない静止画像データに置き換える合成回数を計数するので、静止画像データの追加や削除を自動的に行うことができる。
【００６０】
実施の形態６．
図１２は、この発明における実施の形態６のＢＭＬデータ変換装置の一例を示すブロック構成図である。同図において、この発明における実施の形態２の図４のブロック構成図に対して印刷手段１１０を追加した構成であり、他の構成要素は同一符号を付して同等の機能を果たすものとする。ここで、追加された印刷手段１１０は、ＢＭＬブラウザ１０１が生成した表示用データを印刷する。
【００６１】
次に動作について説明する。この発明における実施の形態６のＢＭＬデータ変換装置の動作の一例を図１３のフローチャート図に基づいて動作を説明する。
【００６２】
ＳＴ６０１では、ＢＭＬデータ合成手段１０５Ａは、ＢＭＬデータを受信する。ＳＴ６０２では、静止画像選択手段１０４Ａは、外部から指示された静止画像データを静止画像蓄積手段１０３Ａが蓄積する静止画像データから選択する。ＳＴ６０３では、ＢＭＬデータ合成手段１０５Ａは、受信したＢＭＬデータから映像データを分離し、選択された静止画像データに置き換えたＢＭＬデータを生成する。ＳＴ６０４では、ＢＭＬデータ蓄積手段１０６は、生成されたＢＭＬデータを保存する。ＳＴ６０５では、ＢＭＬデータ選択手段１０７は、外部から指示されたＢＭＬデータをＢＭＬデータ蓄積手段１０６が蓄積するＢＭＬデータから選択する。ＳＴ６０６では、ＢＭＬブラウザ１０１は、選択されたＢＭＬデータを表示用データに変換する。ＳＴ６０７では、表示手段１０２は、表示用データを表示する。ＳＴ６０８では、印刷手段１１０は、表示用データを印刷する。
【００６３】
このように、ＳＴ６０１からＳＴ６０７は、この発明における実施の形態２のＢＭＬデータ変換装置におけるＳＴ２０１からＳＴ２０７において、受信されたＢＭＬデータの映像データを静止画像データに変換したＢＭＬデータを生成し、保存し、表示する手順に相当する。また、ＳＴ６０８は、表示された表示用データを印刷する手順を示す。
【００６４】
なお、表示手段１０２は、ＢＭＬブラウザ１０１に相当するＢＭＬデータから表示用データに変換する機能を有する場合には、ＢＭＬブラウザ１０１を通さず、ＢＭＬデータを直接入力する構成としても構わない。
【００６５】
以上のように、この発明における実施の形態６のＢＭＬデータ変換装置では、受信したＢＭＬデータの映像データを著作権に関して問題のない静止画像データに置き換えて表示あるいは印刷することができる。
【００６６】
また、この発明における実施の形態６のＢＭＬデータ変換装置では、受信したＢＭＬデータの映像データを著作権に関して問題のない静止画像データに置き換えたＢＭＬデータを蓄積することができるとともに、著作権に関して問題のない蓄積された１つまたは複数のＢＭＬデータから所望のＢＭＬデータを選択することができる
【００６７】
実施の形態７．
これまで説明したように、この発明における実施の形態２から実施の形態６のＢＭＬデータ変換装置は、まず受信したＢＭＬデータの映像データを所望の静止画像データに置き換えたＢＭＬデータを生成し、その生成したＢＭＬデータを蓄積した後、表示手段で表示したいＢＭＬデータを選択して表示するものであった。この発明における実施の形態７のＢＭＬデータ変換装置は、まず受信したＢＭＬデータから映像データを分離したＢＭＬデータを蓄積した後、表示手段で表示したいＢＭＬデータが選択されてから、その選択されたＢＭＬデータから分離された映像データの領域に所望の静止画像データを合成し、その合成されたＢＭＬデータを表示するものとして説明する。
【００６８】
図１４は、この発明における実施の形態７のＢＭＬデータ変換装置の一例を示すブロック構成図である。同図において、この発明における実施の形態５の図１０のブロック構成図に対してＢＭＬ抽出手段２０１を追加し、図１０のＢＭＬデータ合成手段１０５Ｃ、ＢＭＬデータ蓄積手段１０６、ＢＭＬデータ選択手段１０７に置き換えてＢＭＬデータ蓄積手段２０２、ＢＭＬデータ選択手段２０３、ＢＭＬデータ合成手段２０４により構成したであり、他の構成要素は同一符号を付して同等の機能を果たすものとする。ここで、追加されたＢＭＬ抽出手段２０１は、受信したＢＭＬデータから映像データを分離したＢＭＬデータを生成する。置き換えられたＢＭＬデータ蓄積手段２０２は、ＢＭＬ抽出手段２０１が生成したＢＭＬデータを蓄積する。また、置き換えられたＢＭＬデータ選択手段２０３は、外部からの指示により、ＢＭＬデータ蓄積手段２０２が蓄積している１つまたは複数のＢＭＬデータから表示したいＢＭＬデータを選択する。さらに、ＢＭＬデータ合成手段２０４は、ＢＭＬデータ蓄積手段２０２で選択されたＢＭＬデータの該ＢＭＬデータから分離された映像データがあった領域に、静止画像選択手段１０４Ａで蓄積された１つまたは複数の静止画像データから選択された静止画像データを合成してＢＭＬブラウザに出力するとともに、合成したことを変換回数計測手段１０９にする。
【００６９】
次に動作について説明する。この発明における実施の形態７のＢＭＬデータ変換装置の動作の一例を図１５のフローチャート図に基づいて動作を説明する。
【００７０】
ＳＴ７０１では、ＢＭＬデータ抽出手段２０１は、ＢＭＬデータを受信して、そのＢＭＬデータから映像データを分離したＢＭＬデータを生成する。ＳＴ７０２では、ＢＭＬデータ蓄積手段２０２は、生成されたＢＭＬデータを保存する。ＳＴ７０３では、ＢＭＬデータ選択手段２０３は、外部から指示されたＢＭＬデータをＢＭＬデータ蓄積手段２０２が蓄積するＢＭＬデータから選択する。ＳＴ７０４では、静止画像選択手段１０４Ａは、外部から指示された静止画像データを静止画像蓄積手段１０３Ｂが蓄積する静止画像データから選択する。ＳＴ７０５では、ＢＭＬデータ合成手段２０４は、ＢＭＬデータ選択手段２０３で選択されたＢＭＬデータの該ＢＭＬデータから分離された映像データがあった領域に、静止画像選択手段１０４Ａで選択された静止画像データ合成したＢＭＬデータを生成するとともに、合成したことを変換回数計測手段１０９にする。ＳＴ７０６では、変換回数計測手段１０９は、ＢＭＬデータの合成回数を計数する。ＳＴ７０７では、ＢＭＬデータの合成が所定回数まで計数されたか判定する。ＳＴ７０７で所定回数計数したと判定されたとき、ＳＴ７０８では、静止画像入力手段１０８Ｃは、ネットワークを通じて静止画像データを入力し、静止画像蓄積手段１０３Ｂに保存させる。ＳＴ７０９では、ＢＭＬブラウザ１０１は、選択されたＢＭＬデータを表示用データに変換する。ＳＴ７１０では、表示手段１０２は、表示用データを表示する。
【００７１】
このように、ＳＴ７０１からＳＴ７０３は、受信されたＢＭＬデータから映像データを分離したＢＭＬデータを生成し、生成されたＢＭＬデータの保存と、その保存されたＢＭＬデータから表示するＢＭＬデータを選択する手順を示している。また、ＳＴ７０４は、この発明における実施の形態５の図１１のフローチャート図におけるＳＴ５０２において静止画像データを選択する手順に相当する。また、ＳＴ７０５は、選択されたＢＭＬデータに、選択された静止画像データに合成したＢＭＬデータを生成する手順を示している。ＳＴ７０６からＳＴ７０８は、図１１におけるＳＴ５０５からＳＴ５０７の合成回数に基づく条件付きで静止画像データを追加保存する手順に相当する。さらに、ＳＴ７０９からＳＴ７１０は、図１１におけるＳＴ５０９からＳＴ５１０において、選択されたＢＭＬデータを表示するまでの手順に相当する。
【００７２】
なお、ＢＭＬデータの保存（ＳＴ７０２）と選択（ＳＴ７０３）は、時間的に実行間隔をおいて処理されても構わない。また、静止画像データの選択（ＳＴ７０４）は、この処理手順の位置で行わず、あらかじめ静止画像データを選択しておいても構わない。さらに、静止画像データの追加保存に関する処理であるＳＴ７０６からＳＴ７０８は、次回の合成回数の計数前であれば、例えば次回の静止画像を選択（ＳＴ７０４）する前に行うようにしても構わない。
【００７３】
ここで、図１４に示されるブロック構成図において、静止画像蓄積手段１０３Ｂ、静止画像選択手段１０４Ａ、静止画像入力手段１０８Ｃ、変換回数計測手段１０９の４つのブロックは、図１０に示されるこの発明の実施の形態５のブロック構成図の同一名称、同一符号のブロックの部分に等しいものである。
【００７４】
よって、この実施の形態７の変形例のブロック構成として、例えば、これらの部分を図４に示されるこの発明の実施の形態２のブロック構成図のように、静止画像蓄積手段１０３Ａと静止画像選択手段１０４Ａで構成し、静止画像データを追加蓄積できない形態としてもよい。また、図８に示されるこの発明の実施の形態４のブロック構成図のように、静止画像蓄積手段１０３Ｂ、静止画像選択手段１０４Ａ、静止画像入力手段１０８Ｂで構成し、外部から静止画像データを追加できる形態としてもよい。さらに、図６に示されるこの発明の実施の形態３のブロック構成図のように、静止画像蓄積手段１０３Ｂ、静止画像選択手段１０４Ｂ、静止画像入力手段１０８Ａで構成し、ＢＭＬデータに付加されて受信される静止画像データを追加蓄積できる形態としてもよい。これらの変形例の形態を取るときに、ＢＭＬデータ合成手段２０４を、この発明の実施の形態２から実施の形態４で説明したＢＭＬデータ合成手段１０５Ａ、１０５Ｂ、１０５Ｃに適用された同様の変形を適宜加えることになる。
【００７５】
また、図１２に示されるこの発明の実施の形態６のブロック構成図のように、印刷手段１１０を追加した構成とし、表示用データを印刷できる形態としてもよい。
【００７６】
以上のように、この発明における実施の形態７のＢＭＬデータ変換装置では、受信したＢＭＬデータの映像データを著作権に関して問題のない静止画像データに置き換えて表示することができる。
【００７７】
また、この発明における実施の形態７のＢＭＬデータ変換装置では、受信したＢＭＬデータの映像データを著作権に関して問題のない静止画像データに置き換えたＢＭＬデータを蓄積することができるとともに、著作権に関して問題のない蓄積された１つまたは複数のＢＭＬデータから所望のＢＭＬデータを選択することができる。
【００７８】
さらに、この発明における実施の形態７のＢＭＬデータ変換装置では、ネットワークを通じて著作権に関して問題のない静止画像データを追加して蓄積することができる。
【００７９】
また、この発明における実施の形態７のＢＭＬデータ変換装置では、ＢＭＬデータの映像データを著作権に関して問題のない静止画像データに置き換える合成回数を計数するので、この発明における実施の形態５と同様に、静止画像データの追加や削除を自動的に行うことができる。
【００８０】
また、この発明における実施の形態７のＢＭＬデータ変換装置では、映像データを分離して保存したＢＭＬデータと静止画像データを表示前に合成するようにしたので、保存するＢＭＬデータごとに合成する静止画像データを選択する際に、保存する時間間隔が短くても対応しやすくなる。
【００８１】
以上のように、この発明における実施の形態１から実施の形態７のＢＭＬデータ変換装置では、この前段にアンテナおよびチューナを設けて、入力するＢＭＬデータを得ることで、このＢＭＬデータ変換装置を備えたデジタルテレビジョン受信機を構成することもできる。
【００８２】
また、この発明における実施の形態１から実施の形態２、実施の形態４から実施の形態６のＢＭＬデータ変換装置のＢＭＬデータ合成手段１０５Ａと静止画像選択手段１０４Ａは、この発明における実施の形態３のＢＭＬデータ変換装置のＢＭＬデータ合成手段１０５Ｂと静止画像選択手段１０４Ｂに置き換えることで、ＢＭＬデータに静止画像情報を付加して、ＢＭＬデータから抽出された静止画像情報に基づいて、映像データと置き換える静止画像データを選択できるようにしても構わない。
【００８３】
また、この発明における実施の形態３のＢＭＬデータ変換装置の静止画像入力手段１０８Ａは、この発明における実施の形態４のＢＭＬデータ変換装置の静止画像入力手段１０８Ｂに置き換えることで、外部から静止画像データを入力できるようにしても構わない。
【００８４】
また、この発明における実施の形態４のＢＭＬデータ変換装置の静止画像入力手段１０８Ｂは、この発明における実施の形態３のＢＭＬデータ変換装置の静止画像入力手段１０８Ａに置き換えることで、ＢＭＬデータに付加された静止画像データを入力できるようにしても構わない。
【００８５】
また、この発明における実施の形態５のＢＭＬデータ変換装置の変換回数計測手段１０９は、この発明における実施の形態３および実施の形態４のＢＭＬデータ変換装置に変換回数計測手段１０９を追加し、ＢＭＬデータ合成手段１０５Ａまたは１０５ＢをＢＭＬデータ合成手段１０５Ｃに置き換えることで、ＢＭＬデータの合成回数に基づいて、静止画像データを追加入力していくようにしても構わない。
【００８６】
さらに、この発明における実施の形態６のＢＭＬデータ変換装置の印刷手段１１０は、この発明における実施の形態１から実施の形態５、実施の形態７のＢＭＬデータ変換装置に設けることで、ＢＭＬデータがＢＭＬブラウザ１０１で変換された表示用データを印刷できるようにしても構わない。
【００８７】
また、この発明における実施の形態１から実施の形態７のＢＭＬデータ変換装置では、受信されたＢＭＬデータの映像データをＢＭＬデータ合成手段１０５Ａ、１０５Ｂ、１０５Ｃ、２０４にて著作権に関して問題のない静止画像データに置き換えたＢＭＬデータを外部に出力できるようにしても構わない。
【００８８】
さらに、この発明における実施の形態７のＢＭＬデータ変換装置は、静止画像入力手段１０８Ｃ、変換回数計測手段１０９を備えない構成にして、この発明における実施の形態２のように静止画像データを追加蓄積しないようにしても構わない。
【００８９】
また、この発明における実施の形態７のＢＭＬデータ変換装置は、変換回数計測手段１０９を備えない構成にして、合成回数に基づく条件を付けずに、この発明における実施の形態３または実施の形態４のように静止画像データを追加蓄積するようにしても構わない。
【００９０】
また、この発明における実施の形態７のＢＭＬデータ変換装置は、この発明における実施の形態３のＢＭＬデータ変換装置のようにＢＭＬデータに付加された静止画像データを入力できるようにしても構わない。
【００９１】
以上のように、この発明における実施の形態１から実施の形態７のＢＭＬデータ変換装置では、受信したＢＭＬデータの映像データを所望の静止画像データに置き換えたＢＭＬデータを得ることができる。
【００９２】
また、この発明における実施の形態１から実施の形態７のＢＭＬデータ変換装置では、ＢＭＬデータの著作権で保護された映像データを著作権に関して問題のない静止画像データに置換えたＢＭＬデータに変換することで、著作権を侵害しないように２次使用を回避し、ＢＭＬデータを蓄積保存し、表示または印刷することができる。
【図面の簡単な説明】
【００９３】
【図１】この発明の実施の形態１におけるＢＭＬデータ変換装置の一例を示すブロック構成図である。
【図２】この発明の実施の形態１におけるＢＭＬデータ変換装置の動作の一例を示すフローチャート図である。
【図３】この発明の実施の形態１における変換前後のＢＭＬデータの一例を示す説明図である。
【図４】この発明の実施の形態２におけるＢＭＬデータ変換装置の一例を示すブロック構成図である。
【図５】この発明の実施の形態２におけるＢＭＬデータ変換装置の動作の一例を示すフローチャート図である。
【図６】この発明の実施の形態３におけるＢＭＬデータ変換装置の一例を示すブロック構成図である。
【図７】この発明の実施の形態３におけるＢＭＬデータ変換装置の動作の一例を示すフローチャート図である。
【図８】この発明の実施の形態４におけるＢＭＬデータ変換装置の一例を示すブロック構成図である。
【図９】この発明の実施の形態４におけるＢＭＬデータ変換装置の動作の一例を示すフローチャート図である。
【図１０】この発明の実施の形態５におけるＢＭＬデータ変換装置の一例を示すブロック構成図である。
【図１１】この発明の実施の形態５におけるＢＭＬデータ変換装置の動作の一例を示すフローチャート図である。
【図１２】この発明の実施の形態６におけるＢＭＬデータ変換装置の一例を示すブロック構成図である。
【図１３】この発明の実施の形態６におけるＢＭＬデータ変換装置の動作の一例を示すフローチャート図である。
【図１４】この発明の実施の形態７におけるＢＭＬデータ変換装置の一例を示すブロック構成図である。
【図１５】この発明の実施の形態７におけるＢＭＬデータ変換装置の動作の一例を示すフローチャート図である。
【符号の説明】
【００９４】
１０１  ＢＭＬブラウザ
１０２  表示手段
１０３Ａ、１０３Ｂ  静止画像蓄積手段
１０４Ａ、１０４Ｂ  静止画像選択手段
１０５Ａ、１０５Ｂ、１０５Ｃ  ＢＭＬデータ合成手段
１０６  ＢＭＬデータ蓄積手段
１０７  ＢＭＬデータ選択手段
１０８Ａ、１０８Ｂ、１０８Ｃ  静止画像入力手段
１０９  変換回数計測手段
１１０  印刷手段
２０１  ＢＭＬデータ抽出手段
２０２  ＢＭＬデータ蓄積手段
２０３  ＢＭＬデータ選択手段
２０４  ＢＭＬデータ合成手段
【図１】
0004742315.tif 000002
【図２】
0004742315.tif 000003
【図３】
0004742315.tif 000004
【図４】
0004742315.tif 000005
【図５】
0004742315.tif 000006
【図６】
0004742315.tif 000007
【図７】
0004742315.tif 000008
【図８】
0004742315.tif 000009
【図９】
0004742315.tif 000010
【図１０】
0004742315.tif 000011
【図１１】
0004742315.tif 000012
【図１２】
0004742315.tif 000013
【図１３】
0004742315.tif 000014
【図１４】
0004742315.tif 000015
【図１５】
0004742315.tif 000016